(57)【要約】      （修正有）【課題】透過率を向上させることが可能なタッチパネルを提供する。【解決手段】主として、絶縁層１０の表面と底面にそれぞれ検査用電極群２０，３０が形成されており、各検査用電極群２０，３０が並列する複数の検出用電極２１，３１を含み、各検出用電極２１，３１には、複数の検出線２１１，３１１が等間隔で配列され、且つ隙間が設けられることで長尺の透かし彫り形状をなしている。これら検出用電極群２０，３０は絶縁層１０の両面に別々に設けられることから、ブリッジ構造を設ける必要がなく、且つ、これら長尺の透かし彫り形状の検出用電極２１，３１には隙間が存在するため、透過率を上げることが可能である。これより、従来のタッチパネルでは層全体にわたる検出用電極が配設され、複数のブリッジ構造が設けられることから透過率が低下するとの課題が低減される。【選択図】図２
0003193348.tif 000002
【実用新案登録請求の範囲】
【請求項１】
タッチパネルであって、
絶縁層、
絶縁層の底面に形成される第１電極群であって、並列に設けられる複数の第１検出用電極を含み、各第１検出用電極には複数の検出線が等間隔で配列されており、隣接する検出線間に隙間が設けられて長尺の透かし彫り形状をなしている第１電極群、及び
絶縁層の表面に形成される第２電極群であって、並列に設けられる複数の第２検出用電極を含み、各第２検出用電極には複数の検出線が等間隔で配列されており、隣接する検出線間に隙間が設けられて長尺の透かし彫り形状をなし、各第２検出用電極の長さ方向は各第１検出用電極の長さ方向と一定の角度をもって交差する第２電極群、を含むタッチパネル。
【請求項２】
各第１検出用電極には４本の検出線が等間隔で並列しており、これら検出線の両端にはそれぞれ短接続線が接続されている、請求項１に記載のタッチパネル。
【請求項３】
各第２検出用電極には４本の検出線が等間隔で並列しており、これら検出線の両端にはそれぞれ短接続線が接続されている、請求項２に記載のタッチパネル。
【請求項４】
前記検出線の線幅と２本の検出線間の隙間幅との比は１:３〜１:１０である、請求項１〜３のいずれか１項に記載のタッチパネル。
【請求項５】
タッチパネルであって、
基板、
基板の底面に形成される第１電極群であって、並列に設けられる複数の第１検出用電極を含み、各第１検出用電極には複数の検出線が等間隔で配列されており、隣接する検出線間に隙間が設けられて長尺の透かし彫り形状をなしている第１電極群、及び
基板の表面に形成される第２電極群であって、並列に設けられる複数の第２検出用電極を含み、各第２検出用電極には複数の検出線が等間隔で配列されており、隣接する検出線間に隙間が設けられて長尺の透かし彫り形状をなし、各第２検出用電極の長さ方向は各第１検出用電極の長さ方向と一定の角度をもって交差する第２電極群、を含むタッチパネル。
【請求項６】
各第１検出用電極には４本の検出線が等間隔で並列しており、これら検出線の両端にはそれぞれ短接続線が接続されている、請求項５に記載のタッチパネル。
【請求項７】
各第２検出用電極には４本の検出線が等間隔で並列しており、これら検出線の両端にはそれぞれ短接続線が接続されている、請求項６に記載のタッチパネル。
【請求項８】
前記検出線の線幅と２本の検出線間の隙間幅との比は１:３〜１:１０である、請求項５〜７のいずれか１項に記載のタッチパネル。
【考案の詳細な説明】
【技術分野】
【０００１】
本考案はタッチパネルに関し、特に、透過率を向上させることが可能なタッチパネルに関する。
【背景技術】
【０００２】
従来の静電容量式タッチパネルは、基板上に透明電極(ＩＴＯ)からなる複数の第１検出用電極列と、複数の第２検出用電極列が形成されている。前記第１検出用電極列と前記第２検出用電極列は、一定の角度をもって交差するようにそれぞれ基板表面に設けられている。従って、各第１検出用電極列と第２検出用電極列の間に絶縁層を挟むか、或いは、各第１検出用電極列と第２検出用電極列の交差箇所にブリッジ構造を設けることで、漸く各第１検出用電極列と第２検出用電極列が重畳或いは接触して検出エラーが発生する問題を回避できる。
【０００３】
第１検出用電極列と第２検出用電極列は層全体にわたる透明電極(ＩＴＯ)からなり、当該透明電極は透過率を低下させる場合があるうえ、第１検出用電極列と第２検出用電極列の間には絶縁層を挟むか、或いは複数のブリッジ構造を設ける必要があるため、当該タッチパネルは全層にわたる透明電極、及び絶縁層又は複数のブリッジ構造によって、不明瞭化、或いは透過率の低下、或いは歩留りの悪化の課題が生じる。よって、解像度と輝度の向上が求められる従来のタッチパネルは、改良の必要に迫られている。
【考案の概要】
【考案が解決しようとする課題】
【０００４】
上述したように、従来のタッチパネルは透明電極における材質特性の制約を受けて、透明電極からなる層全体にわたる検出用電極を配設した場合に、透過率が低下してタッチパネルの解像度と輝度が影響される課題がある。
そこで、本考案は、前記検出用電極を絶縁層の両面に別々に設けたタッチパネルであって、当該検出用電極には複数の検出線が等間隔で配列されており、隣接する検出線間に隙間が設けられることで長尺の透かし彫り形状をなし、ブリッジ構造や全層にわたる透明電極の配設が不要のタッチパネルを提供することを主な目的とする。これにより、タッチパネルの透過率が向上し、従来のタッチパネルでは透明電極と絶縁層又はブリッジ構造によって透過率が低下し、且つ解像度、輝度及び歩留りを上げることが不可能であった課題が解決される。
【課題を解決するための手段】
【０００５】
上記目的を達成するために用いられる主要な技術的手段として、前記タッチパネルは、絶縁層、絶縁層の底面に形成される第１電極群であって、並列に設けられる複数の第１検出用電極を含み、各第１検出用電極には複数の検出線が等間隔で配列されており、隣接する検出線間に隙間が設けられて長尺の透かし彫り形状をなしている第１電極群、及び、絶縁層の表面に形成される第２電極群であって、並列に設けられる複数の第２検出用電極を含み、各第２検出用電極には複数の検出線が等間隔で配列されており、隣接する検出線間に隙間が設けられて長尺の透かし彫り形状をなし、各第２検出用電極の長さ方向は各第１検出用電極の長さ方向と一定の角度をもって交差する第２電極群、を含む。
【０００６】
上記の部材により構成されるタッチパネルによれば、前記第１検出用電極と前記第２検出用電極は、それぞれ複数の検出線が並列されて長尺の透かし彫り形状をなしており、且つ、これら検出線は等間隔で配列されている。これより、各第１検出用電極と各第２検出用電極の検出線は、等間隔で配列されて隙間を形成し、且つ、これら隙間は検出線の線幅より大きいため、タッチパネルの透過率を上げることが可能であるとともに、層全体に配設される透明電極が光線の透過に影響して解像度及び輝度を低下させるとの課題が低減される。
【図面の簡単な説明】
【０００７】
【図１】本考案における第１の好ましい実施例の平面図である。
【図２】本考案における第１の好ましい実施例の分解図である。
【図３】本考案における第１の好ましい実施例の断面図である。
【図４】本考案における第２の好ましい実施例の分解図である。
【図５】本考案における第２の好ましい実施例の断面図である。
【考案を実施するための形態】
【０００８】
図１〜３を参照して、本考案における第１の好ましい実施例は、主として、絶縁層１０の底面と表面にそれぞれ第１電極群２０と第２電極群３０が形成されており、当該第１電極群２０と第２電極群３０が一定の角度で交差している。図示するように、当該第１電極群２０と第２電極群３０の交差角度は９０°であるが、その他の角度としてもよい。順に重畳する第１電極群２０、絶縁層１０及び第２電極群３０は、タッチパネルを形成するためにディスプレイ(図示しない)に直接貼り付けてもよいし、或いは、基材(図示しない)に結合してもよい。
【０００９】
図１に示すように、前記第１電極群２０は、縦方向に並列に設けられる複数の第１検出用電極２１を含む。各第１検出用電極２１には、４本の検出線２１１が等間隔で並列されて隙間が形成されており、当該隙間は検出線の線幅より大きく、且つ、これら検出線２１１の両端にはそれぞれ短接続線２１２が接続されている。
隣接する検出線２１１間には隙間が設けられていることから、長尺の透かし彫り形状となっている。即ち、各第１検出用電極２１は長尺の柵形状をなしている。且つ、第１電極群２０の各第１検出用電極２１には、同一端の短接続線２１２に接続線２１３が形成されており、当該接続線２１３がタッチセンサ(図示しない)に接続される。前記各第１検出用電極２１の等間隔に並列する検出線２１１は、２本、３本、或いは４本以上としてもよく、ユーザーのニーズに応じて数を増減すればよい。
【００１０】
前記第２電極群３０は、横方向に並列に設けられる複数の第２検出用電極３１を含む。各第２検出用電極３１には、４本の検出線３１１が等間隔で並列されており、これら検出線３１１の両端にはそれぞれ短接続線３１２が接続されている。
隣接する検出線３１１間には隙間が設けられて長尺の透かし彫り形状をなしており、且つ当該隙間は検出線の線幅より大きいことから、透過率を上げることが可能である。また、第２電極群３０の各第２検出用電極３１には、同一端の短接続線３１２に接続線３１３が形成されており、当該接続線３１３がタッチセンサ(図示しない)に接続される。前記各第２検出用電極３１の等間隔に並列する検出線３１１は、２本、３本、或いは４本以上としてもよく、ユーザーのニーズに応じて数を増減すればよい。
【００１１】
図３に示すように、各第１検出用電極２１及び各第２検出用電極３１の長さ方向における前記検出線２１１、３１１は、等間隔(Ｗ１)で並列に設けられている。また、当該検出線２１１の線幅(Ｗ２)と２本の検出線２１１間の隙間幅(Ｗ１)との比は１:３〜１:１０である。
【００１２】
図４及び図５を参照する。本考案の第２の好ましい実施例は、第１の好ましい実施例とほぼ同様であるが、前記第１電極群２０と第２電極群３０がそれぞれ基板４０の底面と表面に形成されており、当該基板４０がガラス基板又はフレキシブルディスプレイ基板である点において異なる。
【００１３】
以上より、前記第１電極群２０と第２電極群３０は、電気的に遮断されるように絶縁層１０又は基板４０の両面に別々に設けられており、前記第１検出用電極２１と前記第２検出用電極３１は、それぞれ複数の検出線２１１、３１１が等間隔に並列することで長尺の透かし彫り形状をなしており、且つ、当該隙間は検出線の線幅より大きいことから、タッチパネルの透過率、解像度及び歩留りを上げることが可能である。
以上より、従来のタッチパネルでは層全体を覆う透明電極によって解像度と輝度が低下するとともに、歩留りが悪いという課題が解決される。
【符号の説明】
【００１４】
１０    絶縁層
２０    第１電極群
２１    第１検出用電極
２１１  検出線
２１２  短接続線
２１３  接続線
３０    第２電極群
３１    第２検出用電極
３１１  検出線
３１２  短接続線
３１３  接続線
４０    基板
【図１】
0003193348.tif 000003
【図２】
0003193348.tif 000004
【図３】
0003193348.tif 000005
【図４】
0003193348.tif 000006
【図５】
0003193348.tif 000007